(57)【特許請求の範囲】
【請求項１】
ラッパ形状からなるコアと、水平偏向磁界を形成する水平偏向コイルと、垂直偏向磁界を形成する垂直偏向コイルとを備えた偏向ヨーク装置であって、前記コアは前記水平偏向コイルまたは前記垂直偏向コイルの内いずれかが非放射状の電線巻回面に沿って巻回されていると共に、前記コアの両端には電線ガイドが形成され、該電線ガイドのコア天面上の上辺部突起の間に上辺部溝が形成され、且つ該上辺部溝の外周側端部には前記上辺部溝と略平行な仮想中心線より均等な角度に振り分けられたＶ形状のＶ字状溝が設けられ、巻始めの電線を収容する前記Ｖ字状溝の底部から前記コアを回転または前記電線を移動させて順次前記電線巻回面に沿って巻回したとき、前記外周側端部の前記Ｖ字状溝の傾斜端部で電線の巻回列幅が規制されて、前記電線が前記電線巻回面と略直交して積層されることを特徴とする偏向ヨーク装置。
【請求項２】
請求項１に記載された偏向ヨーク装置において、上辺部溝と略平行な仮想中心線より均等な角度に振り分けられたＶ形状のＶ字状溝に代えて、上辺部溝と略平行な仮想中心線を底部とした円弧状からなる円弧状凹溝が設けられたことを特徴とする偏向ヨーク装置。
【発明の詳細な説明】
【０００１】
【産業上の利用分野】
本発明は、テレビジョン受像機等に使用される陰極線管に組み合わされる偏向ヨーク装置に関するものである。
【０００２】
【従来の技術】
以下、従来の偏向ヨーク装置について図を参照しながら説明する。図６は従来の偏向ヨーク装置の断面図を示すものである。図６において、１は水平磁界を形成する水平偏向コイル、２は垂直偏向磁界を形成する垂直偏向コイル、３は垂直偏向コイル２を構成するラッパ形状からなるコアであり、コア天面４，コア底面５，コア内周面６，コア外周面７を備えている。８はコア天面４に設けられた電線ガイド上辺部、９はコア底面５に設けられた電線ガイド下辺部、１０はコア３を介して電線ガイド上辺部８と電線ガイド下辺部９との間をトロイダル状に巻回された電線、１１は電線ガイド下辺部９に設けられ電線１０を案内する下辺部突起である。
【０００３】
図７は従来の偏向ヨーク装置の垂直偏向コイルの正面図を示すものである。図７において、１２はコア３を介して電線ガイド上辺部８と電線ガイド下辺部９との間を巻回された電線１０のそれぞれの巻線区間の巻回の電線巻回面、１３はコア３を対称に分割したコア３の中心線であるところの軸、１４は電線１０のそれぞれの電線巻回面１２が軸１３を横切り交わるそれぞれの交点、１５はコア３の中心である。そして、電線１０は巻線区間の巻回の電線巻回面１２が非放射状に巻回されるのでコア３の中心１５には交点１４はなく、軸１３の数点が巻線区間の巻回の電線巻回面１２の交点１４となっているのである。
【０００４】
この様な垂直偏向コイルの非放射状の巻回について、以下詳細に説明する。図８は従来の偏向ヨーク装置の垂直偏向コイルの電線ガイドの拡大正面図を示すものである。図８において、１６はコア３のコア天面４上で電線ガイド上辺部８に設けられ電線１０を案内する上辺部突起、１７は上辺部突起１６の間で電線１０が巻回される上辺部溝である。このようにコア３が構成されると、上辺部突起１６間の上辺部溝１７の中心点と下辺部突起１１間とを結ぶ線が電線１０の巻回方向となり、この巻回方向が電線１０を巻回する電線巻回面１２となるので、それぞれの巻線区間の電線巻回面１２に沿ってコア３に電線１０を巻回させるものである。
【０００５】
その際、上辺部溝１７の外周側端部、或いは下辺部突起１１間の辺１８に電線巻回面１２が交わり、この交わった辺１８に対して電線１０の巻回する角度を侵入角θ１９として巻回する。従って、電線巻回面１２がコア３の中心１５に向かう放射状であれば、侵入角θ１９は直角であり９０度である。その際、電線ガイドを必要としない。ところが、例えば、コンバージェンス等の影響を無くすために、非放射状に電線１０を巻回する時には、電線ガイドが必要となり、又、電線１０の巻回する侵入角θ１９が重要な要素となる。そこで、コア天面４とコア内周面６とコア外周面７との３面のコア３の形状に合わせて、電線１０の侵入角θ１９と平行に近い角度で、電線ガイド上辺部８には上辺部突起１６と上辺部溝１７が設けられ、又、電線ガイド下辺部９にはコア外周面７とコア底面５をコア３の形状に合わせ、電線１０の侵入角θ１９に合わせてコア外周面７に下辺部突起１１が設けられている。
【０００６】
【発明が解決しようとする課題】
このような上記の従来の構成では、非放射状に電線１０を巻回する様に電線１０の侵入角θ１９と平行に近い角度でコア天面４に上辺部突起１６と上辺部溝１７を有する電線ガイドが設けられ、そして、電線１０の侵入角θ１９に合わせてコア外周面７に下辺部突起１１を有する電線ガイドを設けたので、電線１０が略所定の間隔で巻回はできる。しかしながら、巻回する電線１０がコア３の中心１５に向かう矢印２０方向に滑りやすく、均一な厚みや所定の分布に電線１０を巻回することができないという問題点を有していた。
【０００７】
本発明は上記の問題点を解決するもので、巻回する電線が滑るようなことが無く、電線を均一な厚みや所定の分布に巻回できる偏向ヨーク装置を提供することを目的とする。
【０００８】
【課題を解決するための手段】
この目的を達成するために本発明の偏向ヨーク装置は、ラッパ形状からなるコアと、水平偏向磁界を形成する水平偏向コイルと、垂直偏向磁界を形成する垂直偏向コイルとを備えた偏向ヨーク装置であって、コアは水平偏向コイルまたは垂直偏向コイルの内いずれかが非放射状の電線巻回面に沿って巻回されていると共に、コアの両端には電線ガイドが形成され、該電線ガイドのコア天面上の上辺部突起の間に上辺部溝が形成され、且つ該上辺部溝の外周側端部には上辺部溝と略平行な仮想中心線より均等な角度に振り分けられたＶ形状のＶ字状溝が設けられ、巻始めの電線を収容するＶ字状溝の底部からコアを回転または電線を移動させて順次電線巻回面に沿って巻回したとき、外周側端部のＶ字状溝の傾斜端部で電線の巻回列幅が規制されて、電線が電線巻回面と略直交して積層される構成を有している。
【０００９】
又、本発明の偏向ヨーク装置は、上辺部溝と略平行な仮想中心線より均等な角度に振り分けられたＶ形状のＶ字状溝に代えて、上辺部溝と略平行な仮想中心線を底部とした円弧状からなる円弧状凹溝が設けられた構成を有している。
【００１２】
【作用】
本発明の偏向ヨーク装置は、ラッパ形状からなるコアと、水平偏向磁界を形成する水平偏向コイルと、垂直偏向磁界を形成する垂直偏向コイルとを備えたものであって、コアは水平偏向コイルまたは垂直偏向コイルの内いずれかが非放射状の電線巻回面に沿って巻回されていると共に、コアの両端には電線ガイドが形成され、該電線ガイドのコア天面上の上辺部突起の間に上辺部溝が形成され、且つ該上辺部溝の外周側端部には上辺部溝と略平行な仮想中心線より均等な角度に振り分けられたＶ形状のＶ字状溝が設けられ、巻始めの電線を収容するＶ字状溝の底部からコアを回転または電線を移動させて順次電線巻回面に沿って巻回したとき、外周側端部のＶ字状溝の傾斜端部で電線の巻回列幅が規制されて、電線が電線巻回面と略直交して積層される構成であるので、電線をＶ字状溝の底部から順次巻回し、傾斜端部で規制された巻回列幅を有して電線巻回面と略直交し、安定した積層を行うと共に所定の分布に容易に巻回することができ、巻回する電線に滑りがなく均一な厚みに巻回することができる。
【００１５】
更に、本発明の偏向ヨークは、円弧状凹溝が設けられた構成であるので、電線を円弧状凹溝の底部から順次巻回し、傾斜端部で規制された巻回列幅を有して電線巻回面と略直交し、安定した積層を行うと共に所定の分布に巻回することができる。
【００１６】
【実施例】
（前提構成）
以下、本発明の第１の実施例について説明するために、まずその前提構成について図面を参照しながら説明する。図１は本発明の前提構成における偏向ヨーク装置の断面図である。図１において従来例と同符号のものは基本的には同一であるので説明の詳細は省略する。１は水平偏向コイル、２は垂直偏向コイル、３は垂直偏向コイル２を構成するラッパ形状からなるコアであり、コア天面４，コア底面５，コア内周面６，コア外周面７を備えている。８はコア天面４に設けられた電線ガイド上辺部、９はコア底面５に設けられた電線ガイド下辺部、１０はコア３を介して電線ガイド上辺部８と電線ガイド下辺部９との間をトロイダル状に巻回された電線、１１は電線ガイド下辺部９に設けられ電線１０を案内する下辺部突起である。
【００１７】
この様に構成された偏向ヨーク装置の垂直偏向コイル２について、以下詳細に説明する。図２は本発明の前提構成における偏向ヨーク装置の垂直偏向コイルの電線ガイドを示す正面図、図３は本発明の前提構成における偏向ヨーク装置の垂直偏向コイルの電線ガイドを示す拡大正面図である。図２及び図３において、２１はコア天面４上でコア外周面７に添った電線ガイド上辺部８に設けられ電線１０の巻回を案内する上辺部突起、２２は上辺部突起２１の間で電線１０が巻回される上辺部溝、２３は上辺部溝２２で上辺部突起２１と平行に電線１０が巻回される電線巻回面、２４は電線ガイド上辺部８に設けられ電線巻回面２３と直交し上辺部溝２２の外周側端部に設けられた直線端部である。
【００１８】
２５はコア底面５とコア外周面７に添った電線ガイド下辺部９に設けられ電線１０の巻回を案内する下辺部突起、２６は下辺部突起２５の間で設けられ電線１０が巻回される電線巻回面２３と直交した直線端部である。
【００１９】
次に、垂直偏向コイルの非放射状の巻回について説明する。図２に示すようにコア３が構成されると、上辺部溝２２及び直線端部２４の中心点と下辺部突起２５及び直線端部２６の中心点とを結ぶ線が電線１０の巻回方向となり、そして、非放射状に設けられたそれぞれの上辺部溝２２及び直線端部２４の中心点と電線巻回面２３と略直交した状態になるようにコア３を回転させて、それぞれの上辺部溝２２の直線端部２４と下辺部突起２５の間の直線端部２６に電線１０を巻回させる。この時、電線の巻回列は電線巻回面２３と略直交して積層されることになる。
【００２０】
その際、電線巻回面２３と略直交し上辺部溝２２の外周側端部に設けられた直線端部２４と、下辺部突起２５との間の直線端部２６がそれぞれ設けられているので、直線端部２４及び直線端部２６において電線１０の滑りがなく、それぞれの直線端部２４と直線端部２６に電線１０を均一な厚みに順次巻回する事ができるものである。
【００２１】
尚、本発明の前提構成では電線巻回面２３と略直交した状態になるようにコア３を回転させて電線１０を巻回したが、コア３を固定させコア３の放射状の電線巻回面２３に合わせて電線１０を移動させて巻回させても何等かわらないものである。又、第１の実施例では垂直偏向コイル２として説明したが水平偏向コイル１としても同じである。
【００２２】
（実施例１）
以下、本発明の第１の実施例について図面を参照しながら説明する。図４は本発明の第１の実施例における偏向ヨーク装置の垂直偏向コイルの電線ガイド上辺部を示す拡大正面図である。図４において前提構成と同符号のものは基本的には同一であるので説明の詳細は省略する。２７はコア天面４上でコア外周面７に沿った電線ガイド上辺部８に設けられ電線１０の巻回を案内する上辺部突起、２８は上辺部突起２７との間で設けられ電線１０が巻回される上辺部溝、２９は上辺部溝２８の外周側端部に設けられ上辺部溝２８と略平行な中心近傍の仮想中心線より均等な角度に振り分けられたＶ形状からなるＶ字状溝である。
【００２３】
次に、垂直偏向コイルの非放射状の巻回について説明する。図４に示すようにコア３が構成されると、上辺部溝２８と略平行な中心近傍の仮想中心線を電線巻回面２３とする。そして、非放射状に設けられた（図示せず）それぞれの電線巻回面２３と略直交した状態になるようにコア３を回転させて、電線１０がそれぞれ上辺部溝２８の外周側端部のＶ字状溝２９の電線安定部の底部３３から順次巻回され、Ｖ字状溝２９の傾斜端部で巻回列幅を規制しながら積層させると共に所定の分布に容易に巻回することができるものである。この時、電線１０の巻回列は電線巻回面２３と略直交して積層されることになる。
【００２４】
尚、第１の実施例では電線巻回面２３と略直交した状態になるようにコア３を回転させて電線１０を巻回したが、コア３を固定させコア３の放射状の電線巻回面２３に合わせて電線１０を移動させて巻回させても何等かわらないものである。又、第１の実施例では垂直偏向コイル２として説明したが水平偏向コイル１としても同じである。
【００２５】
（実施例２）
以下、本発明の第２の実施例について図面を参照しながら説明する。図５は本発明の第２の実施例における偏向ヨーク装置の垂直偏向コイルの電線ガイド上辺部を示す拡大正面図である。図５において実施例１と同符号のものは基本的には同一であるので説明の詳細は省略する。３０はコア天面４上でコア外周面７に沿った電線ガイド上辺部８に設けられ電線１０の巻回を案内する上辺部突起、３１は上辺部突起３０との間で設けられ電線１０が巻回される上辺部溝、３２は上辺部溝３１の外周側端部に設けられ上辺部溝３１と略平行な中心近傍の仮想中心線を底部とした円弧状からなる円弧状凹溝である。
【００２６】
次に、垂直偏向コイルの非放射状の巻回について説明する。図５に示すようにコア３が構成されると、上辺部溝３１と略平行な中心近傍の仮想中心線を電線巻回面２３とする。そして、非放射状に設けられた（図示せず）それぞれの電線巻回面２３と略直交した状態になるようにコア３を回転させ、巻回にあたっては電線１０がそれぞれ上辺部溝３１の外周側端部の円弧状凹溝３２の電線安定部である底部３４から順次巻回され、円弧状凹溝３２の傾斜端部で巻回列幅を規制しながら積層させると共に所定の分布に容易に巻回することができるものである。この時、電線の巻回列は電線巻回面２３と略直交して積層されることになる。
【００２７】
尚、第２の実施例では電線巻回面２３と略直交した状態になるようにコア３を回転させて電線１０を巻回したが、コア３を固定させコア３の放射状の電線巻回面２３に合わせて電線１０を移動させて巻回させても何等かわらないものである。又、第２の実施例では垂直偏向コイル２として説明したが水平偏向コイル１としても同じである。
【００２８】
【発明の効果】
以上のように本発明の偏向ヨーク装置では、ラッパ形状からなるコアと、水平偏向磁界を形成する水平偏向コイルと、垂直偏向磁界を形成する垂直偏向コイルとを備えたものであって、コアは水平偏向コイルまたは垂直偏向コイルの内いずれかが非放射状の電線巻回面に沿って巻回されていると共に、コアの両端には電線ガイドが形成され、該電線ガイドのコア天面上の上辺部突起の間に上辺部溝が形成され、且つ該上辺部溝の外周側端部には上辺部溝と略平行な仮想中心線より均等な角度に振り分けられたＶ形状のＶ字状溝が設けられ、巻始めの電線を収容するＶ字状溝の底部からコアを回転または電線を移動させて順次電線巻回面に沿って巻回したとき、外周側端部のＶ字状溝の傾斜端部で電線の巻回列幅が規制されて、電線が電線巻回面と略直交して積層されるので、電線を均等な角度に振り分けられたＶ字状溝の底部から順次巻回し安定して電線巻回面と略直交して積層し、所定の分布に容易に巻回することができ、巻回する電線に滑りがなく均一な厚みに巻回することができる。
【００３１】
更に、本発明の偏向ヨークでは、円弧状凹溝が設けられた構成であるので、電線を円弧状凹溝の底部から順次巻回して安定して電線巻回面と略直交して積層し、所定の分布に容易に巻回することができ、巻回する電線に滑りがなく均一な厚みに巻回することができる。
【図面の簡単な説明】
【図１】本発明の前提構成における偏向ヨーク装置の断面図
【図２】本発明の前提構成における偏向ヨーク装置の垂直偏向コイルの電線ガイドを示す正面図
【図３】本発明の前提構成における偏向ヨーク装置の垂直偏向コイルの電線ガイドを示す拡大正面図
【図４】本発明の第１の実施例における偏向ヨーク装置の垂直偏向コイルの電線ガイド上辺部を示す拡大正面図
【図５】本発明の第２の実施例における偏向ヨーク装置の垂直偏向コイルの電線ガイド上辺部を示す拡大正面図
【図６】従来の偏向ヨーク装置の断面図
【図７】従来の偏向ヨーク装置の垂直偏向コイルの正面図
【図８】従来の偏向ヨーク装置の垂直偏向コイルの電線ガイドの拡大正面図
【符号の説明】
１  水平偏向コイル
２  垂直偏向コイル
３  コア
４  コア天面
５  コア底面
６  コア内周面
７  コア外周面
８  電線ガイド上辺部
９  電線ガイド下辺部
１０  電線
１１，２５  下辺部突起
１３  軸
１４  交点
２１，２７，３０  上辺部突起
２２，２８，３１  上辺部溝
２３  電線巻回面
２４，２６  直線端部
２９  Ｖ字状溝
３２  円弧状凹溝
３３，３４  底部
【図１】
0003886169.tif 000002
【図２】
0003886169.tif 000003
【図３】
0003886169.tif 000004
【図４】
0003886169.tif 000005
【図５】
0003886169.tif 000006
【図６】
0003886169.tif 000007
【図７】
0003886169.tif 000008
【図８】
0003886169.tif 000009